(57)【特許請求の範囲】
【請求項１】
非磁性材料からなる基材と、
前記基材中にランダムに混入された多数の磁性素子を含みかつ前記基材の所定位置に設定された素子走査部と、
前記素子走査部の磁性素子の混入状況に応じて得られる固有の出力に関する照合用データがコード化されて記録される登録データ記録部と、
前記素子走査部をセンサによって走査する際に前記素子走査部の位置に関する信号を出力可能な位置信号記録部と、
を具備し、
前記素子走査部と前記位置信号記録部が共通トラック領域に設けられ、該共通トラック領域では前記位置信号記録部が前記素子走査部に重なった状態で前記素子走査部の走査方向に延び、
前記位置信号記録部は、前記走査方向に磁化の方向が交互に変化しかつ走査方向と直交する方向に磁化の方向が同じとなるよう着磁されていることを特徴とする真正さがチェックされる被検出物。
【請求項２】
被検出物の真正さをチェックするための処理装置において、
前記被検出物は、
非磁性材料からなる基材と、
前記基材中にランダムに混入された多数の磁性素子を含みかつ前記基材の所定位置に設定された素子走査部と、
前記素子走査部の磁性素子の混入状況に応じて得られる固有の出力に関する照合用データがコード化されて記録される登録データ記録部と、
前記素子走査部をセンサによって走査する際に前記素子走査部の位置に関する信号を出力可能な位置信号記録部とを具備し、
前記素子走査部と前記位置信号記録部が共通トラック領域に設けられ、該共通トラック領域では前記位置信号記録部が前記素子走査部に重なった状態で前記素子走査部の走査方向に延び、
前記位置信号記録部は、前記走査方向に磁化の方向が交互に変化しかつ走査方向と直交する方向に磁化の方向が同じとなるよう着磁され、
前記処理装置は、
前記素子走査部を磁気的に走査することによりこの素子走査部に含まれる磁性素子の分布に応じた出力をとらえて固有の検出信号を得る第１のセンサ部と、
前記素子走査部に対する前記第１のセンサ部の位置に応じた信号を出力可能な位置信号記録部を走査することによって同期クロック信号を得る第２のセンサ部と、
前記第１のセンサ部がとらえた出力と前記同期クロック信号とに基いて得られた検出信号を、被検出物の登録データ記録部に登録されているデータと照合し、両者が対応した時にこの被検出物が真正であると判断する手段とを具備し、
前記第１のセンサ部は、走査時に一対の磁電変換素子が前記位置信号記録部の位置信号を同時に検出できるよう前記走査方向に関して直交する方向に前記磁電変換素子対を配置し、
前記第２のセンサ部は、走査時に一対の磁電変換素子が前記位置信号を時間的にずれて検出できるよう前記走査方向に関して前後方向に前記磁電変換素子対を配置し、
これら第１のセンサ部と第２のセンサ部を共通の検出ヘッドに配置し、被検出物の共通トラック領域に設けた前記素子走査部と位置信号記録部とを前記検出ヘッドによって走査することを特徴とする被検出物の真正さをチェックするための処理装置。
【請求項３】
被検出物の真正さを処理装置を用いてチェックするための方法において、
前記被検出物は、
非磁性材料からなる基材と、
前記基材中にランダムに混入された多数の磁性素子を含みかつ前記基材の所定位置に設定された素子走査部と、
前記素子走査部の磁性素子の混入状況に応じて得られる固有の出力に関する照合用データがコード化されて記録される登録データ記録部と、
前記素子走査部をセンサによって走査する際に前記素子走査部の位置に関する信号を出力可能な位置信号記録部とを具備し、
前記素子走査部と前記位置信号記録部が共通トラック領域に設けられ、該共通トラック領域では前記位置信号記録部が前記素子走査部に重なった状態で前記素子走査部の走査方向に延び、
前記位置信号記録部は、前記走査方向に磁化の方向が交互に変化しかつ走査方向と直交する方向に磁化の方向が同じとなるよう着磁され、
前記処理装置は、
前記素子走査部を磁気的に走査することによりこの素子走査部に含まれる磁性素子の分布に応じた出力をとらえて固有の検出信号を得る第１のセンサ部と、
前記素子走査部に対する前記第１のセンサ部の位置に応じた信号を出力可能な位置信号記録部を走査することによって同期クロック信号を得る第２のセンサ部と、
前記第１のセンサ部がとらえた出力と前記同期クロック信号とに基いて得られた検出信号を、被検出物の登録データ記録部に登録されているデータと照合し、両者が対応した時にこの被検出物が真正であると判断する手段とを具備し、
前記第１のセンサ部は、走査時に一対の磁電変換素子が前記位置信号記録部の位置信号を同時に検出できるよう前記走査方向に関して直交する方向に前記磁電変換素子対を配置し、
前記第２のセンサ部は、走査時に一対の磁電変換素子が前記位置信号を時間的にずれて検出できるよう前記走査方向に関して前後方向に前記磁電変換素子対を配置し、
これら第１のセンサ部と第２のセンサ部を共通の検出ヘッドに配置し、被検出物の共通トラック領域に設けた前記素子走査部と位置信号記録部とを前記検出ヘッドによって走査し、
前記第１のセンサ部の前記磁電変換素子対によって前記素子走査部と前記位置信号記録部を同時に磁気的に走査することにより前記磁性素子の分布に応じた固有の出力を得る工程と、
前記被検出物に設けた位置信号記録部と前記素子走査部を前記第２のセンサ部の前記磁電変換素子対によって同時に走査することにより素子走査部の位置に応じた同期クロック信号を得る工程と、
前記第１のセンサ部がとらえた前記出力と第２のセンサ部によって得られた同期クロック信号とに基いて走査速度に依存しない素子走査部の検出信号を得る工程と、
前記検出信号と被検出物の登録データ記録部に記録されているデータとを照合し、両者が対応した時にこの被検出物が真正であると判断する工程と、
を具備したことを特徴とする被検出物のチェック方法。
【発明の詳細な説明】
【０００１】
【発明の属する技術分野】
この発明は、クレジットカード，ＩＤカード，ＣＤカード等のカード類，パスポート，重要書類や有価証券，紙幣および小切手等の金券，トラベラーズチェック，あるいは絵画等の美術品，競艇・競馬等の公営競技投票券等のように、偽造を防止する必要がありかつ真正さがチェックされる被検出物と、そのチェック装置およびチェック方法に関する。
【０００２】
【従来の技術】
各種カードや書類等の真正さをチェックするための手段として、例えば特開昭５０−６９９９号公報や特開平６−１７９２９６号公報あるいは特開平７−３２７７７号公報などに記載されているように、被検出物の走査領域に照合用データを登録しておくものが知られている。この種の被検出物は、真正さをチェックする際に前記走査領域をセンサによって走査し、得られた検出信号と前記照合用データを照合するようにしている。
【０００３】
前記公知例において、被検出物の走査領域を走査するための処理装置は、予め決められた一定速度で被検出物の走査領域を読取ることを条件とし、得られた検出信号を時分割してディジタルコード化したのち、予め登録されている照合用データと比較することにより、この被検出物が真正であるか否かをチェックしている。このため従来の処理装置では、搬送速度を制御可能な電気モータによって駆動されるローラ等の搬送機構により、被検出物を一定速度で走査方向に移動させながら、センサによるデータの読取りを行なっている。
【０００４】
【発明が解決しようとする課題】
前述の従来の処理装置は、モータ等の搬送機構を用いる分だけ装置が複雑化するとともに部品点数も多くなり、装置が大形化および高コスト化していた。また従来の処理装置はメンテナンス性がよくないなど、改善の余地があった。このため、被検出物を手動で移動させることも考えられた。
【０００５】
しかし、被検出物を手動で搬送する場合、走査速度が一定にならないため、センサの出力波形が走査速度に応じて変化してしまうという問題がある。このため同じ被検出物でありながら、チェックするたびに出力波形が異なることになり、高精度なチェックを行うことができない。
【０００６】
そこで例えばローラエンコーダなどを用いることにより、被検出物の移動量に応じた同期クロック信号を検出し、この同期クロック信号に応じて出力波形の時間的補正を行うことにより、走査速度が変動しても同一の被検出物からはほぼ同一の検出信号が得られるようにすることも考えられた。しかしながらその場合、同期クロックをとるためのローラと被検出物との間の滑り等によって検出誤差を生じ、高精度のチェックを行うことができないおそれがある。しかもその場合には、ローラエンコーダ等の余分な部品を処理装置に組込む必要があるため、コストを下げる上で、また小形化を図る上で十分とはいえない。
【０００７】
従って本発明の目的は、チェックの精度を下げることなく処理装置の簡略化と小形化等が図れるような被検出物とそのチェック装置およびチェック方法を提供することにある。
【０００８】
【課題を解決するための手段】
前記の目的を果たすための本発明の被検出物は、被検出物の表面などに位置信号を得るための領域（位置信号記録部）を設け、素子走査部を走査する際にこの位置信号記録部も同時に走査し、得られた位置信号（同期クロック信号）にもとづき、素子走査部の検出信号を常に同じ条件で得るようにしたものである。
【０００９】
すなわち本発明の被検出物は、磁性材料からなる基材と、前記基材中にランダムに混入された多数の磁性素子を含みかつ前記基材の所定位置に設定された素子走査部と、前記素子走査部の磁性素子の混入状況に応じて得られる固有の出力に関する照合用データがコード化されて記録される登録データ記録部と、前記素子走査部をセンサによって走査する際に前記素子走査部の位置に関する信号を出力可能な位置信号記録部とを具備し、前記素子走査部と前記位置信号記録部が共通トラック領域に設けられ、該共通トラック領域では前記位置信号記録部が前記素子走査部に重なった状態で前記素子走査部の走査方向に延び、前記位置信号記録部は、前記走査方向に磁化の方向が交互に変化しかつ走査方向と直交する方向に磁化の方向が同じとなるよう着磁されている。
【００１０】
位置信号記録部は、例えば公知の高保磁力の磁性層を被検出物の一部に設けたものとか、磁気インクによって所定のパターンで印刷したもの、あるいはバーコードのように光学的に読取ることの可能な記録媒体によって同期クロック信号を出力できるようにしたものでもよい。
【００１２】
本発明の処理装置は、前記素子走査部を磁気的に走査することによりこの素子走査部に含まれる磁性素子の分布に応じた出力をとらえて固有の検出信号を得る第１のセンサ部と、前記素子走査部に対する前記第１のセンサ部の位置に応じた信号を出力可能な位置信号記録部を走査することによって同期クロック信号を得る第２のセンサ部と、前記第１のセンサ部がとらえた出力と前記同期クロック信号とに基いて得られた検出信号を、被検出物の登録データ記録部に登録されているデータと照合し、両者が対応した時にこの被検出物が真正であると判断する手段とを具備し、前記第１のセンサ部は、走査時に一対の磁電変換素子が前記位置信号記録部の位置信号を同時に検出できるよう前記走査方向に関して直交する方向に前記磁電変換素子対を配置し、前記第２のセンサ部は、走査時に一対の磁電変換素子が前記位置信号を時間的にずれて検出できるよう前記走査方向に関して前後方向に前記磁電変換素子対を配置し、これら第１のセンサ部と第２のセンサ部を共通の検出ヘッドに配置し、被検出物の共通トラック領域に設けた前記素子走査部と位置信号記録部とを前記検出ヘッドによって走査するようにしている。
【００１４】
位置信号記録部を走査する第２のセンサ部としては、ＭＲ素子等の磁電変換素子あるいは記録・読取り用磁気ヘッドのように位置信号記録部を磁気的に読取るものを採用できる。位置信号記録部がバーコードのように光学的な記録媒体を利用したものである場合には、被検出物に印刷されたパターンを光学的に読取る方法、あるいは、磁気インクを用いた印刷パターンを磁気的に検出する方法なども採用できる。
【００１５】
この発明のチェック方法は、前記第１のセンサ部の前記磁電変換素子対によって前記素子走査部と前記位置信号記録部を同時に磁気的に走査することにより前記磁性素子の分布に応じた固有の出力を得る工程と、前記被検出物に設けた位置信号記録部と前記素子走査部を前記第２のセンサ部の前記磁電変換素子対によって同時に走査することにより素子走査部の位置に応じた同期クロック信号を得る工程と、前記第１のセンサ部がとらえた前記出力と第２のセンサ部によって得られた同期クロック信号とに基いて走査速度に依存しない素子走査部の検出信号を得る工程と、前記検出信号と被検出物の登録データ記録部に記録されているデータとを照合し、両者が対応した時にこの被検出物が真正であると判断する工程とを含んでいる。
【００１６】
【発明の実施の形態】
以下に本発明の第１の実施形態について図１から図３を参照して説明する。
図１に示されるように、カードあるいは書類（紙葉）等の形態をとる被検出物１０は、紙あるいは合成樹脂等の非磁性材を主体とする基材１１からなり、後述するように、被検出物１０の特徴を表わす素子走査部１２と、この被検出物１０をチェックする際に同期クロック信号を得るための位置信号記録部１３と、登録データ記録部１４などを有している。
【００１７】
素子走査部１２は、基材１１中に多数の細かな磁性素子２０をランダムに混入したものである。磁性素子２０の形態の一例は、高分子材料からなる繊維状の素子本体に磁性金属の粉体を混入したもの（いわゆる磁性ポリマー素子）であり、各磁性素子２０はそれぞれ不特定多数の方向を向いている。これらの磁性素子２０は、被検出物１０のほぼ全体にわたって分布していてもよい。磁性素子２０の素子本体に使われる高分子材料の一例は、ポリエチレンやポリエステルあるいはウレタンなどであるが、要するに適当な可撓性を有する周知の合成樹脂を適用できる。
【００１８】
磁性素子２０に使われる磁性金属としては、例えばパーマロイ，センダスト，Ｃｏ系アモルファス，ソフトフェライトなどのように磁気的に軟質な高透磁率磁性材料が適しているが、例えばフェライトやＳｍ−Ｃｏ合金，Ｎｄ合金等のように磁気的に硬質な高保磁力材料が使われてもよい。磁性素子２０の形態は繊維状以外に、フレーク，粉体，箔，ワイヤ等であってもよい。
【００１９】
位置信号記録部１３の一例は、高保磁力の磁性材からなる磁性層を用いた帯状の磁気ストライプであり、例えば被検出物１０の走査方向（矢印Ｆで示す方向）に磁化の方向が所定ピッチで逆転するような磁化パターンで着磁されている。この実施形態の場合、素子走査部１２と位置信号記録部１３との相互の影響を少なくするために、素子走査部１２と位置信号記録部１３とを、互いに距離ｄだけ離して平行に設けている。
【００２０】
位置信号記録部１３は、後述するように被検出物１０をチェックする際に下記処理装置３０の検出部（検出ヘッド）３１によって素子走査部１２と同時に走査され、位置信号記録部１３から得られる出力を同期クロック信号として素子走査部１２の検出信号に反映させるようにしている。
【００２１】
登録データ記録部１４には、素子走査部１２を走査することによって得られる固有の情報、すなわち磁性素子２０の分布状態等に応じて特徴付けられた固有の情報（照合用データ）が、下記の処理装置３０によって暗号化されて書込まれるようになっている。この登録データ記録部１４には、照合用データ以外に、各種の情報（例えばプリペイドカードの場合は額面や残額等）も磁気的あるいは光学的手段もしくはＩＣチップ等の記録媒体によって記録されてもよい。なお登録データ記録部１４は、被検出物１０とは別体の電子機器の記憶領域（例えばホストコンピュータのメモリ）に記録するようにしてもよい。
【００２２】
図３に示された処理装置３０は、被検出物１０をチェックする際に、被検出物１０をその移動経路３０ａに沿って矢印Ｆで示す走査方向に移動させるようにしている。被検出物１０の移動経路３０ａの途中に検出ヘッドとしての検出部３１が設けられている。図２に示す検出部３１の一例は、素子走査部１２を走査するための第１のセンサ部３２と、位置信号記録部１３を検出するための第２のセンサ部３３を備えている。
【００２３】
第１のセンサ部３２は、出力の大きさが走査速度に依存しない磁電変換素子の一例としての一対のＭＲ素子（磁気抵抗効果素子対）４０，４１を備えている。ＭＲ素子４０，４１の背後にマグネット４２（図３に示す）が配置されている。ＭＲ素子４０，４１は磁界の強さに応じて電気抵抗値が変化する特性を有し、これらＭＲ素子４０，４１は互いに電気的に接続され、かつ、各ＭＲ素子４０，４１にマグネット４２による同じ強さの磁界が及ぶようになっている。一方のＭＲ素子４０は直流電源４３に接続され、他方のＭＲ素子４１はマイクロコンピュータ等を用いた演算処理照合部４５に接続されている。
【００２４】
素子走査部１２を走査する際に、ＭＲ素子４０，４１の近傍を磁性素子２０が通ると、磁性素子２０の位置に応じてＭＲ素子４０，４１を通る磁束が経時的に変化し、ＭＲ素子４０，４１の抵抗値に差が出るためＭＲ素子４０，４１の出力電圧が変化するようになる。この出力電圧は、素子走査部１２に混入している磁性素子２０の分布密度や磁性素子２０のサイズ等に応じて微妙に変化するので、この被検出物１０に固有の出力電圧の波形が得られる。
【００２５】
第２のセンサ部３３は、位置信号記録部１４に記録されている同期クロック信号（位置信号）を読取ることの可能な磁気ヘッド、または第１のセンサ部３２と同様のＭＲ素子対を備えている。
【００２６】
処理装置３０は、登録データ記録部１４に記録されたデータを読取るためのコード読取り部５５を備えている。コード読取り部５５は、読取り用の回路５６に接続されている。演算処理照合部４５は、検出された信号を処理するためのＡ／Ｄ変換器６０や比較器６１および暗号コード変換器６２などを含んでいる。演算処理照合部４５に、チェック結果等を示す表示器６３が接続されている。
【００２７】
次に、前記被検出物１０の発行処理と、真正さを判断するためのチェック工程などについて説明する。
被検出物１０が製造される際に、基材１１中に磁性素子２０が混入される。磁性素子１２は少なくとも素子走査部１２に混入されるが、場合によっては被検出物１０の全体に混入してもよい。また被検出物１０に高保磁力の磁性層からなる帯状の位置信号記録部１３と登録データ記録部１４を形成する。
【００２８】
そして被検出物１０の発行処理において、前記検出部３１と同様のＭＲ素子対を用いた検出部によって素子走査部１２が所定速度で走査され、その出力電圧の波形が特定のアルゴリズムによって暗号化されて登録データ記録部１４に記録される。この実施形態の登録データ記録部１４は磁気帯であるが、光学的に読取り可能な標識（例えばバーコードや二次元バーコード，ＯＣＲ文字など）を、印字ヘッドによって登録データ記録部１４に記録してもよいし、磁気インクを用いてもよく、あるいはコードを記録したホログラムを暗号コードにしたがって順番にスタンプしてもよい。
【００２９】
また、素子走査部１２を検出部によって走査する際に素子走査部１２の位置に応じた同期クロック信号を得るために、磁気ヘッド等によって位置信号記録部１３の着磁がなされる。例えば図６に示す位置信号記録部１３のように、走査方向Ｆに沿って一定の間隔で磁化方向が交互に反転するように着磁がなされる。
【００３０】
被検出物１０が真正であるか否かのチェックは前記処理装置３０によって行われる。この被検出物１０を処理装置３０に挿入し、その移動経路３０ａに沿って被検出物１０を走査方向Ｆに移動させる。そのとき、第１のセンサ部３２によって素子走査部１２を走査するとともに、第２のセンサ部３３によって位置信号記録部１３を走査する。
【００３１】
第１のセンサ部３２によって素子走査部１２が走査されると、素子走査部１２に含まれる磁性素子２０がＭＲ素子４０，４１の近傍を順次通過する。この時に磁性素子２０の位置や分布状況等に応じてＭＲ素子４０，４１を通る磁束が経時的に変化するため、この素子走査部１２に固有の電圧波形が出力される。この波形は、第２のセンサ部３３によって検出された位置信号記録部１３の同期クロック信号に基いて時分割され、分割された微小部分ごとに出力電圧が複数段階にランク付けされてディジタル化される。こうして、走査速度に依存しない素子走査部１２の検出信号が得られる。この検出信号を、暗号コード変換器６２によって特定のアルゴリズムに従って復号する。
【００３２】
また、登録データ記録部１４に記録されている照合用データがコード読取り部５５によって読取られる。この照合用データが、比較器６１によって前記復号された素子走査部１２の検出信号と比較され、両者が整合した時に、この被検出物１０が本物であると判断され、その照合結果が表示器６３に表示される。
【００３３】
このように、第１のセンサ部３２によって得られる素子走査部１２の検出信号を、第２のセンサ部３３によって得られる同期クロック信号（位置検出信号）に基いて時分割することにより、被検出物１０の移動速度が一定でなくても常に同じ条件で素子走査部１２を検出することが可能となる。このため、手動による不安定な移動速度でも高精度でデータの照合を行うことができ、モータ等を用いた搬送機構や、ローラエンコーダ等の時間補正手段を用いずとも、簡単な構成の処理装置３０によって精度の高い真偽判定を実現できる。なお、処理装置３０はモータによって駆動される搬送機構を備えていても差し支えない。
【００３４】
次にこの発明の第２の実施形態について、図４から図７を参照して説明する。この実施形態の被検出物１０は、図４に示すように、素子走査部１２と位置信号記録部１３とを実質的に同一のトラック領域に設けることにより、前記処理装置３０のさらなる構成の簡略化と小形化，軽量化を実現できるようにしている。
【００３５】
この被検出物１０の真偽を判定するための処理装置の検出部３１は、図５等に示すように、共通の検出ヘッド７０に配置された第１のセンサ部３２と第２のセンサ部３３とを備えている。
【００３６】
第１のセンサ部３２は、前記実施形態で述べたものと同様の一対のＭＲ素子４０，４１を、走査方向Ｆに関して直交する方向、すなわち走査時に位置信号記録部１３の位置信号を同時に検出可能な位置に設けている。これに対し第２のセンサ部３３は、一対のＭＲ素子５０，５１を走査方向Ｆに関して互いに前後方向、すなわち走査時に位置信号記録部１３の位置信号を時間的にずれて検出する位置にＭＲ素子５０，５１を設けている。
【００３７】
図６に示すように位置信号記録部１３は、走査方向Ｆに関して、矢印Ａ，Ｂで示すように磁化の方向が一定ピッチで交互に変化するように着磁されている。この実施形態の場合、１つの検出ヘッド７０に設けた各センサ部３２，３３によって、素子走査部１２と位置信号記録部１３を同時に走査する。
【００３８】
この場合、第１のセンサ部３２において各ＭＲ素子４０，４１に位置信号記録部１３の同一磁界がかかるため、位置信号記録部１３の信号（位置信号）が相殺される。このため第１のセンサ部３２においては位置信号記録部１３の信号は検出されない。しかしＭＲ素子４０，４１は素子走査部１２の磁束変化をとらえるため、素子走査部１２中の磁性素子２０の混入パターン等に応じて例えば図７に示すような出力波形Ｗ1 が検出される。
【００３９】
これに対し第２のセンサ部３３においては、ＭＲ素子５０，５１に位置信号記録部１３の互いに異なる磁界がかかるとともに、ＭＲ素子５０，５１が素子走査部１２の磁束変化もとらえる。このため第２のセンサ部３３においては、素子走査部１２中の磁性素子２０の混入パターン等に応じた出力波形と、位置信号記録部１３の出力波形（位置信号）との合成された波形が検出される。ここで、位置信号記録部１３の出力波形は素子走査部１２の出力波形Ｗ1 に比較して十分大きいため、合成された波形は、図７に示す波形Ｗ2 のように、実質的に位置信号記録部１３による波形とほぼ同等となる。
【００４０】
従って第２のセンサ部３３から出力される合成波形Ｗ2 から同期クロック信号を得て、第１のセンサ部３２の出力波形Ｗ1 を時分割する。これにより、第１のセンサ部３２から出力される磁性素子２０の分布状況に応じた検出信号を、走査速度にかかわらず同一条件で検出することが可能となる。
【００４１】
このように素子走査部１２と位置信号記録部１３とを同一トラックに設けることにより、処理装置３０の検出部３１が１つの検出ヘッド７０で済むため、処理装置３０の小形化と軽量化および低コスト化を図る上でさらに有利である。しかも素子走査部１２と位置信号記録部１３を被検出物１０の同一トラックに設けることにより、被検出物１０の小形化を図ることができる。また、素子走査部１２と位置信号記録部１３を同一トラックに設けた場合には、被検出物１０を走査する際に図４中の矢印Ｒで示す回転方向の位置ずれの影響を受けにくくなって、高精度にチェックできるという利点もある。
【００４２】
なお図８に示す検出部３１は、共通の検出ヘッド７０に設けた第１のセンサ部３２のＭＲ素子４０，４１を走査方向Ｆに関して横長の形状とした例である。図９に示す検出部３１は、第１のセンサ部３２のＭＲ素子４０，４１を走査方向Ｆに関して斜め方向に延びる形状とした例である。そして図１０に示す検出部３１は、第１のセンサ部３２のＭＲ素子４０，４１を走査方向Ｆに関して横向きのＶ形に配置した例である。
【００４３】
これらの実施形態は、いずれも、第１のセンサ部３２は、走査時に位置信号記録部１３の位置信号を同時に検出可能な位置に磁電変換素子対（ＭＲ素子４０，４１）を設けたものであり、第２のセンサ部３３は、走査時に前記位置信号を時間的にずれて検出する位置に磁電変換素子対（ＭＲ素子５０，５１）を設けたものである。このような形態のＭＲ素子４０，４１（図８，図９，図１０）を採用することにより、素子走査部１２および位置信号記録部１３との位置ずれの影響を受けにくい検出部３１にすることが可能であり、検出部３１のさらなる小形化も可能である。
【００４４】
図１１に示す被検出物１０の実施形態は、ＩＣカード８０の一部に前記素子走査部１２と位置信号記録部１３を設けるとともに登録データ記録部１４を設けた例である。それ以外の基本的な構成と作用は前記実施形態と同様であるため、前記実施形態と共通の箇所に共通の符号を付して説明は省略する。このＩＣカード８０も、前記実施形態と同様の検出部３１によって素子走査部１２と位置信号記録部１３を同時に走査し、位置信号記録部１３によって得られる同期クロック信号に基いて素子走査部１２の出力を時分割するとともに、演算処理照合部４５において登録データ記録部１４のデータとの照合を行う。
【００４５】
【発明の効果】
請求項１に記載した被検出物によれば、走査速度が変化しても高精度なチェックを行うことができ、ローラエンコーダを用いる場合に見られるような滑りによる精度低下の問題も生じないし、処理装置の構成も簡略化できる。  
【００４６】
この被検出物によれば、素子走査部と位置信号記録部を共通トラックに設けることにより、被検出物の小形化を図る上で有利である。また、被検出物の位置ずれの影響を少なくすることができる。
【００４７】
請求項２に記載した処理装置によれば、モータ等を駆動源する搬送機構を用いることなく高精度なチェックを行うことができる。そして処理装置の構成が簡略化され、部品数も少なくてすみ、処理装置の小形化と低コスト化が図れる。この処理装置によれば、第１のセンサ部と第２のセンサ部を共通の検出ヘッドに設けることによって、処理装置のさらなる簡略化と小形化を図ることができる。
【００４８】
請求項３に記載したチェック方法によれば、手動によって被検出物を移動させる場合のように走査速度が変化しても、走査速度に左右されることなく高精度なチェックを行うことができる。
【図面の簡単な説明】
【図１】本発明の一実施形態の被検出物と検出部を一部切り欠いて示す斜視図。
【図２】図１に示された被検出物と検出部を一部切り欠いて示す平面図。
【図３】本発明の一実施形態の処理装置を一部断面で示す側面図。
【図４】本発明の他の実施形態の被検出物と検出部を一部切り欠いて示す斜視図。
【図５】図４に示された検出部の底面図。
【図６】図４に示された被検出物の位置信号記録部を模式的に示す平面図。
【図７】図４に示された被検出物の出力波形の一例を示す図。
【図８】検出部の変形例を示す底面図。
【図９】検出部の他の変形例を示す底面図。
【図１０】検出部のさらに別の変形例を示す底面図。
【図１１】被検出物の他の実施形態を示す斜視図。
【符号の説明】
１０…被検出物
１１…基材
１２…素子走査部
１３…位置信号記録部
１４…登録データ記録部
２０…磁性素子
３０…処理装置
３１…検出部
３２…第１のセンサ部
３３…第２のセンサ部
４０，４１，５０，５１…ＭＲ素子（磁電変換素子）
【図１】
0003862848.tif 000002
【図２】
0003862848.tif 000003
【図３】
0003862848.tif 000004
【図４】
0003862848.tif 000005
【図５】
0003862848.tif 000006
【図６】
0003862848.tif 000007
【図７】
0003862848.tif 000008
【図８】
0003862848.tif 000009
【図９】
0003862848.tif 000010
【図１０】
0003862848.tif 000011
【図１１】
0003862848.tif 000012